【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
画像を表示させるための表示制御を行う表示制御装置であって、
連続的に再生される複数の画像からなる画像群データを入力する入力手段と、
各画像に写っている特定オブジェクトの画像の表示サイズの情報を取得する取得手段と、
各画像に写っている特定オブジェクトの表示サイズに応じて、前記複数の画像を１枚ずつ連続的に再生する際の再生速度を決定する決定手段と、
を備える表示制御装置。
【請求項２】
前記画像群データは、各画像に写っている特定オブジェクトの大きさの情報を含む付帯情報を有し、
前記取得手段は、前記付帯情報から特定オブジェクトの表示サイズの情報を取得する請求項１に記載の表示制御装置。
【請求項３】
前記付帯情報は、特定オブジェクトの大きさを画素数の情報として含み、
前記取得手段は、画像を表示させる表示装置の画素ピッチの情報を取得し、前記画素ピッチの情報と、前記付帯情報から取得した特定オブジェクトの画素数と、に基づき特定オブジェクトの表示サイズを取得する請求項２に記載の表示制御装置。
【請求項４】
前記取得手段は、各画像に対する画像解析により、各画像に写っている特定オブジェクトの大きさ、種類、及び位置座標の情報を取得する請求項１に記載の表示制御装置。
【請求項５】
特定オブジェクトの表示サイズと再生速度との予め定められた対応関係の情報を記憶する記憶手段を更に備え、
前記決定手段は、前記対応関係に基づき、特定オブジェクトの表示サイズに応じた再生速度を決定する請求項１〜４のいずれか１項に記載の表示制御装置。
【請求項６】
前記対応関係は、特定オブジェクトの表示サイズが小さいほど再生速度が遅くなるように定められている請求項５に記載の表示制御装置。
【請求項７】
前記対応関係は、特定オブジェクトが写っていない画像の再生速度が最も速くなるよう
に定められている請求項５又は６に記載の表示制御装置。
【請求項８】
前記対応関係において、基準となる再生速度をユーザが設定することができる請求項５〜７のいずれか１項に記載の表示制御装置。
【請求項９】
前記記憶手段は、特定オブジェクトの種類ごとに異なる対応関係を記憶している請求項５又は６に記載の表示制御装置。
【請求項１０】
前記画像は、被検体の断層画像であって、
前記取得手段は、断層画像の画素値と被検体の特性値との予め定められた対応関係に基づき、連続して存在している、特性値が所定の範囲内の値である画素の数から断層画像に写っている特定オブジェクトの表示サイズを算出する請求項１〜９のいずれか１項に記載の表示制御装置。
【請求項１１】
画像を表示させるための表示制御を行う表示制御方法であって、
連続的に再生される複数の画像からなる画像群データを入力する入力工程と、
各画像に写っている特定オブジェクトの画像の表示サイズの情報を取得する取得工程と、
各画像に写っている特定オブジェクトの表示サイズに応じて、前記複数の画像を１枚ずつ連続的に再生する際の再生速度を決定する決定工程と、
を有する表示制御方法。
【請求項１２】
前記画像群データは、各画像に写っている特定オブジェクトの大きさの情報を含む付帯情報を有し、
前記取得工程では、前記付帯情報から特定オブジェクトの表示サイズの情報を取得する請求項１１に記載の表示制御方法。
【請求項１３】
前記付帯情報は、特定オブジェクトの大きさを画素数の情報として含み、
前記取得工程では、画像を表示させる表示装置の画素ピッチの情報を取得し、前記画素ピッチの情報と、前記付帯情報から取得した特定オブジェクトの画素数と、に基づき特定オブジェクトの表示サイズを取得する請求項１２に記載の表示制御方法。
【請求項１４】
前記取得工程では、各画像に対する画像解析により、各画像に写っている特定オブジェクトの大きさ、種類、及び位置座標の情報を取得する請求項１１に記載の表示制御方法。
【請求項１５】
特定オブジェクトの表示サイズと再生速度との予め定められた対応関係の情報を記憶手段から読み出す工程を更に備え、
前記決定工程では、前記対応関係に基づき、特定オブジェクトの表示サイズに応じた再生速度を決定する請求項１１〜１４のいずれか１項に記載の表示制御方法。
【請求項１６】
前記対応関係は、特定オブジェクトの表示サイズが小さいほど再生速度が遅くなるように定められている請求項１５に記載の表示制御方法。
【請求項１７】
前記対応関係は、特定オブジェクトが写っていない画像の再生速度が最も速くなるように定められている請求項１５又は１６に記載の表示制御方法。
【請求項１８】
前記対応関係において、基準となる再生速度をユーザが設定することができる請求項１５〜１７のいずれか１項に記載の表示制御方法。
【請求項１９】
前記記憶手段は、特定オブジェクトの種類ごとに異なる対応関係を記憶している請求項
１５又は１６に記載の表示制御方法。
【請求項２０】
前記画像は、被検体の断層画像であって、
前記取得工程では、断層画像の画素値と被検体の特性値との予め定められた対応関係に基づき、連続して存在している、特性値が所定の範囲内の値である画素の数から断層画像に写っている特定オブジェクトの表示サイズを算出する請求項１１〜１９のいずれか１項に記載の表示制御方法。
【請求項２１】
請求項１〜１０のいずれか１項に記載の表示制御装置と、
画像データに基づく画像を表示する表示手段と、
を備えた表示装置。
【請求項２２】
前記画像群データはモダリティによって得られた医用画像群データであり、
前記特定オブジェクトは病変である請求項１〜１０のいずれか１項に記載の表示制御装置。 
【請求項２３】
前記画像群データはモダリティによって得られた医用画像群データであり、
前記特定オブジェクトは病変である請求項１１〜２０のいずれか１項に記載の表示制御方法。
【手続補正２】
【補正対象書類名】明細書
【補正対象項目名】００１４
【補正方法】変更
【補正の内容】
【００１４】
そこで本発明は、複数の画像を連続的に観察して画像に含まれる特定オブジェクトを発見する作業を支援する表示装置において、特定オブジェクトの発見に要する時間の短縮と特定オブジェクトを見落とす可能性の低減を両立する技術を提供することを目的とする。
【手続補正３】
【補正対象書類名】明細書
【補正対象項目名】００１５
【補正方法】変更
【補正の内容】
【００１５】
本発明は、画像を表示させるための表示制御を行う表示制御装置であって、
連続的に再生される複数の画像からなる画像群データを入力する入力手段と、
各画像に写っている特定オブジェクトの画像の表示サイズの情報を取得する取得手段と、
各画像に写っている特定オブジェクトの表示サイズに応じて、前記複数の画像を１枚ずつ連続的に再生する際の再生速度を決定する決定手段と、
を備える表示制御装置である。
【手続補正４】
【補正対象書類名】明細書
【補正対象項目名】００１６
【補正方法】変更
【補正の内容】
【００１６】
本発明は、画像を表示させるための表示制御を行う表示制御方法であって、
連続的に再生される複数の画像からなる画像群データを入力する入力工程と、
各画像に写っている特定オブジェクトの画像の表示サイズの情報を取得する取得工程と
、
各画像に写っている特定オブジェクトの表示サイズに応じて、前記複数の画像を１枚ずつ連続的に再生する際の再生速度を決定する決定工程と、
を有する表示制御方法である。
【手続補正５】
【補正対象書類名】明細書
【補正対象項目名】００１７
【補正方法】変更
【補正の内容】
【００１７】
本発明によれば、複数の画像を連続的に観察して画像に含まれる特定オブジェクトを発見する作業を支援する表示装置において、特定オブジェクトの発見に要する時間の短縮と特定オブジェクトを見落とす可能性の低減を両立することが可能となる。